(57)【要約】【課題】少ない角度の回転操作で内容器を外容器に着脱でき、しかも、全高寸法の増加を抑制できるレフィル容器を提供する。【解決手段】レフィル容器１は、内容器２と、外容器３とを有し、外容器３は、内容器２を係止可能な係止部４を有する本体部材５と、本体部材５に軸心Ｏの周方向に回転可能に連結された回動部材６とを備え、本体部材５は、係止部４を有するとともに軸心Ｏの径方向に移動可能な可動部５ｂを備え、回動部材６は、軸心Ｏの周方向への回動部材６の回転に伴って軸心Ｏの径方向への可動部５ｂの移動を案内することにより、内容器２の状態を、係止部４が内容器２に係止可能に係合したロック状態と、内容器２への係止部４の係合が解除された非ロック状態との間で切替える案内部１６を有する。【選択図】図１
2019081595.tif 000002
【特許請求の範囲】
【請求項１】
内容物を収容可能な内容器と、
前記内容器を収容可能な外容器とを有し、
前記外容器は、
前記内容器を係止可能な係止部を有する本体部材と、
前記本体部材に軸心の周方向に回転可能に連結された回動部材とを備え、
前記本体部材は、前記係止部を有するとともに前記軸心の径方向に移動可能な可動部を備え、
前記回動部材は、前記軸心の周方向への前記回動部材の回転に伴って前記軸心の径方向への前記可動部の移動を案内することにより、前記内容器の状態を、前記係止部が前記内容器に係止可能に係合したロック状態と、前記内容器への前記係止部の係合が解除された非ロック状態との間で切替える案内部を有する、レフィル容器。
【請求項２】
前記案内部は、前記軸心の周方向の一方への前記回動部材の回転に伴って前記可動部を押圧して前記軸心の径方向内側に移動させ、前記内容器を前記ロック状態にするとともに、前記軸心の周方向の他方への前記回動部材の回転に伴って前記可動部への押圧を解除する第１案内面を有する、請求項１に記載のレフィル容器。
【請求項３】
前記案内部は、前記軸心の周方向の他方への前記回動部材の回転に伴って前記可動部を押圧して前記軸心の径方向外側に移動させ、前記内容器を前記非ロック状態にするとともに、前記軸心の周方向の一方への前記回動部材の回転に伴って前記可動部への押圧を解除する第２案内面を有する、請求項１又は２に記載のレフィル容器。
【請求項４】
前記可動部は、基端部から先端部まで前記軸心の周方向に延在する片持ち弾性片を有する、請求項１〜３のいずれか一項に記載のレフィル容器。
【請求項５】
前記内容器は、前記外容器に対して、前記軸心に沿う軸方向への移動によって着脱可能であり、
前記可動部は、前記軸心の周方向への前記回動部材の回転に伴って前記内容器を前記外容器から離脱する方向に押出す押出し部を有する、請求項１〜４のいずれか一項に記載のレフィル容器。
【請求項６】
前記外容器に、前記軸心の周方向に間隔を空けて配置された複数組の前記可動部及び前記第１案内面が設けられており、
各第１案内面は、前記軸心の周方向の他方に向かって前記軸心の径方向内側へ傾斜しており、
各第１案内面は、当該第１案内面の前記軸心の周方向の他方側の端縁から前記軸心の径方向外側に向けて延在する当接面とともに内向き段部を構成しており、
各可動部は、基端部から先端部まで前記軸心の周方向の他方に延在する片持ち弾性片を有し、
各可動部の前記基端部に、前記本体部材に凸状をなすように設けられた支持凸部が一体に連結しており、
各支持凸部は、隣接する前記当接面に当接することによって前記軸心の周方向の他方への前記回動部材の回転を停止させる被当接面を有する、請求項２に記載のレフィル容器。
【請求項７】
前記外容器は、
底部と、
前記底部の周縁に立設された環状の胴部とを有し、
前記回動部材は、前記外容器の前記底部を構成しており、
前記回動部材は、
前記軸心の周方向に回転可能に前記軸心の径方向外側から前記本体部材に嵌合する外筒を有し、又は、
前記軸心の周方向に回転可能に前記軸心の径方向内側から前記本体部材に嵌合する周壁と、前記周壁の内周面に一体に連結する底壁と、前記底壁から垂下する摘み部とを有する、請求項１〜６のいずれか一項に記載のレフィル容器。
【発明の詳細な説明】
【技術分野】
【０００１】
本開示は、レフィル容器に関する。
【背景技術】
【０００２】
従来、クリーム状等の内容物のレフィル（付け替え）等の目的で用いられる内容器と、内容器を収容可能な外容器とを有するレフィル容器が知られている。このようなレフィル容器は、内容器を外容器に着脱可能とするための構成を有している。例えば特許文献１では、内容器は、外容器と係合するねじ部を有している。
【先行技術文献】
【特許文献】
【０００３】
【特許文献１】特開２０１５−３０４５９号公報
【発明の概要】
【発明が解決しようとする課題】
【０００４】
しかし、特許文献１のようにねじ部を有する構成では、通常、外容器への内容器の着脱のために多くの回転操作が必要となるため、回転操作の途中で持ち替えが必要になる。したがって、操作性を考慮すると、内容器の着脱に要する回転角度を低減することが望ましい。内容器の着脱に要する回転角度は、ねじ部を多条ねじにして、条数を増やしていくことで低減できる。しかし、多条ねじの条数を増やしていくと、内容器の着脱に要する回転角度は低減するものの、ねじ部の全高寸法が増加して、容器の全高寸法の増加を招いてしまう。
【０００５】
本発明の目的は、少ない角度の回転操作で内容器を外容器に着脱でき、しかも、全高寸法の増加を抑制できるレフィル容器を提供することにある。
【課題を解決するための手段】
【０００６】
本発明の一態様に係るレフィル容器は、
内容物を収容可能な内容器と、
前記内容器を収容可能な外容器とを有し、
前記外容器は、
前記内容器を係止可能な係止部を有する本体部材と、
前記本体部材に軸心の周方向に回転可能に連結された回動部材とを備え、
前記本体部材は、前記係止部を有するとともに前記軸心の径方向に移動可能な可動部を備え、
前記回動部材は、前記軸心の周方向への前記回動部材の回転に伴って前記軸心の径方向への前記可動部の移動を案内することにより、前記内容器の状態を、前記係止部が前記内容器に係止可能に係合したロック状態と、前記内容器への前記係止部の係合が解除された非ロック状態との間で切替える案内部を有する。
【０００７】
また、本発明に係るレフィル容器は、
前記案内部に、前記軸心の周方向の一方への前記回動部材の回転に伴って前記可動部を押圧して前記軸心の径方向内側に移動させ、前記内容器を前記ロック状態にするとともに、前記軸心の周方向の他方への前記回動部材の回転に伴って前記可動部への押圧を解除する第１案内面を有していてもよい。
【０００８】
また、本発明に係るレフィル容器は、
前記案内部に、前記軸心の周方向の他方への前記回動部材の回転に伴って前記可動部を押圧して前記軸心の径方向外側に移動させ、前記内容器を前記非ロック状態にするとともに、前記軸心の周方向の一方への前記回動部材の回転に伴って前記可動部への押圧を解除する第２案内面を有していてもよい。
【０００９】
また、本発明に係るレフィル容器は、前記可動部に、基端部から先端部まで前記軸心の周方向に延在する片持ち弾性片を有していてもよい。
【００１０】
また、本発明に係るレフィル容器は、
前記内容器が、前記外容器に対して、前記軸心に沿う軸方向への移動によって着脱可能であってよく、
前記可動部に、前記軸心の周方向への前記回動部材の回転に伴って前記内容器を前記外容器から離脱する方向に押出す押出し部を有していてもよい。
【００１１】
また、本発明に係るレフィル容器は、
前記外容器に、前記軸心の周方向に間隔を空けて配置された複数組の前記可動部及び前記第１案内面が設けられていてもよく、
各第１案内面が、前記軸心の周方向の他方に向かって前記軸心の径方向内側へ傾斜していてもよく、
各第１案内面が、当該第１案内面の前記軸心の周方向の他方側の端縁から前記軸心の径方向外側に向けて延在する当接面とともに内向き段部を構成していてもよく、
各可動部に、基端部から先端部まで前記軸心の周方向の他方に延在する片持ち弾性片を有していてもよく、
各可動部の前記基端部に、前記本体部材に凸状をなすように設けられた支持凸部が一体に連結していてもよく、
各支持凸部に、隣接する前記当接面に当接することによって前記軸心の周方向の他方への前記回動部材の回転を停止させる被当接面を有していてもよい。
【００１２】
また、本発明に係るレフィル容器は、
前記外容器に、
底部と、
前記底部の周縁に立設された環状の胴部とを有していてもよく、
前記回動部材が、前記外容器の前記底部を構成していてもよく、
前記回動部材に、
前記軸心の周方向に回転可能に前記軸心の径方向外側から前記本体部材に嵌合する外筒を有し、又は、
前記軸心の周方向に回転可能に前記軸心の径方向内側から前記本体部材に嵌合する周壁と、前記周壁の内周面に一体に連結する底壁と、前記底壁から垂下する摘み部とを有していてもよい。
【発明の効果】
【００１３】
本発明によれば、少ない角度の回転操作で内容器を外容器に着脱でき、しかも、全高寸法の増加を抑制できるレフィル容器を提供することができる。
【図面の簡単な説明】
【００１４】
【図１】本発明の第１実施形態に係るレフィル容器を、内容器の着脱時の状態で示す半断面側面図である。
【図２】図１の一部拡大図である。
【図３】図１のＡ−Ａ線に沿って示す外容器の断面図である。
【図４】図３の一部拡大図である。
【図５】第１実施形態に係るレフィル容器を、内容器を収容して閉蓋した状態で示す半断面側面図である。
【図６】図５の一部拡大図である。
【図７】図５のＡ−Ａ線に沿って示す外容器の断面図である。
【図８】図７の一部拡大図である。
【図９】本発明の第２実施形態に係るレフィル容器を、内容器を収容して閉蓋した状態で示す半断面側面図である。
【発明を実施するための形態】
【００１５】
以下、図面を参照して、本発明の実施形態に係るレフィル容器について詳細に例示説明する。
【００１６】
まず、図１〜図８を参照して、本発明の第１実施形態に係るレフィル容器１について詳細に例示説明する。図１及び図５に示すように、本実施形態に係るレフィル容器１は、内容物を収容可能な内容器２と、内容器２を収容可能な外容器３とを有している。本実施形態では、内容器２は、内容物を使い切ったときなどに交換が可能なレフィル用の容器である。内容物は、クリーム状の化粧料等であってよいが、これに限定されない。外容器３は、内容器２を係止可能な係止部４を有する本体部材５と、本体部材５に軸心Ｏの周方向に回転可能に連結された回動部材６とを備えている。本実施形態では、回動部材６の回転の軸心Ｏと、内容器２の中心と、外容器３の中心とは、互いに一致している。しかし、これらは一致していなくても構わない。本実施形態では、レフィル容器１は、閉蓋可能な広口の内容物の取出し口を有するジャー容器として構成されているが、これに限られない。例えば、レフィル容器１は、内容器に収容した液状等の内容物を吐出可能なポンプを有するポンプ付き容器であってもよい。
【００１７】
また、本実施形態では、レフィル容器１は、内容器２を閉塞可能な蓋７を有している。しかし、レフィル容器１は、蓋７を有していなくても構わない。蓋７は、外容器３の外周面に着脱可能な円筒状の装着筒８ａと、装着筒８ａの上端を閉塞する天壁８ｂとを有する蓋本体８を備えている。より具体的には、装着筒８ａは、外容器３の外周面にねじ部を介して着脱可能に構成されている。しかし、装着筒８ａは、外容器３の外周面に嵌合部を介して着脱可能に構成されてもよい。蓋７は、天壁８ｂの下面に配置された円盤状のパッキン９を有している。パッキン９の形状又は配置は適宜変更が可能である。蓋７は、パッキン９を有していなくても構わない。また、蓋７は、外容器３に代えて内容器２に着脱可能に構成されてもよい。内容器２、本体部材５、回動部材６及び蓋本体８は、例えば、合成樹脂の射出成形によって形成可能である。
【００１８】
図１に示すように、内容器２は、本実施形態では、底部２ａと、底部２ａの周縁に立設された円環状の胴部２ｂとを有している。内容器２の胴部２ｂは、上方に向けて拡径する傾斜部１０と、傾斜部１０から垂下する円環状の環状凸部１１とを有している。しかし、内容器２の形状は変更が可能である。また、内容器２は、係止部４に係止されることが可能であるとともに軸心Ｏの周方向に全周に亘って設けられた円環状の被係止部１２を有している。被係止部１２は、環状凸部１１の外周面に設けられている。図３及び図７には、環状凸部１１及び被係止部１２が、仮想線（二点鎖線）で示されている。
【００１９】
図１に示すように、外容器３は、本実施形態では、底部３ａと、底部３ａの周縁に立設された円環状の胴部３ｂとを有している。そして、内容器２は、外容器３に対して、軸心Ｏに沿う軸方向への移動によって着脱可能である。なお、軸心Ｏに沿う軸方向において、底部３ａから口部（胴部３ｂの開放端部）に向かう方向が上方であり、その反対方向が下方である。
【００２０】
図１に示すように、本実施形態では、回動部材６は、外容器３の底部３ａを構成している。また、回動部材６は、軸心Ｏの周方向に回転可能に軸心Ｏの径方向外側から本体部材５に嵌合する外筒１３を有している。本体部材５は、軸心Ｏの周方向に回転可能に外筒１３と嵌合する円環状の本体部５ａと、係止部４を有するとともに本体部５ａに対して軸心Ｏの径方向に移動可能な可動部５ｂとを備えている。すなわち、本体部材５は、係止部４を有するとともに軸心Ｏの径方向に移動可能な可動部５ｂを備えている。
【００２１】
本体部５ａは、外筒１３の径方向内側に配置された内筒１４と、内筒１４の上端から上方に延在する上筒１５とを有している。本実施形態では、内筒１４の外周面には、外筒１３の内周面に設けられた円環状の凹部に嵌合する円環状の凸部が設けられている。しかし、内筒１４と外筒１３との嵌合部の構成は適宜変更が可能である。上筒１５における下側部分の外径は、内筒１４よりも拡径しており、上筒１５における下側部分の外周面は、外筒１３の外周面と面一となっている。上筒１５における上側部分の外径は、その下側部分よりも縮径している。図５に示すように、上筒１５における上側部分の外周面には、蓋７の装着筒８ａを着脱可能である。その結果、蓋７の装着状態において、上筒１５における下側部分の外周面は、蓋７の外周面と面一となっている。
【００２２】
図１及び図５に示すように、回動部材６は、軸心Ｏの周方向の一方ＣＤ１及び他方ＣＤ２（図３参照）への回動部材６の回転に伴って軸心Ｏの径方向内側及び外側への可動部５ｂの移動を案内することにより、内容器２の状態を、係止部４が内容器２に係止可能に係合したロック状態（図５及び図７参照）と、内容器２への係止部４の係合が解除された非ロック状態（図１及び図３参照）との間で切替える案内部１６を有している。より具体的には、案内部１６は、軸心Ｏの周方向の一方ＣＤ１への回動部材６の回転に伴って可動部５ｂを押圧して軸心Ｏの径方向（本実施形態では径方向内側）に移動させ、内容器２をロック状態にするとともに、軸心Ｏの周方向の他方への回動部材６の回転に伴って内容器２を非ロック状態にするように構成されている。本実施形態では、案内部１６は、軸心Ｏの周方向の一方ＣＤ１への回動部材６の回転に伴って可動部５ｂを押圧して軸心Ｏの径方向（本実施形態では径方向内側）に移動させ、内容器２をロック状態にするとともに、軸心Ｏの周方向の他方ＣＤ２への回動部材６の回転に伴って可動部５ｂへの押圧を解除する第１案内面１６ａを有している。また、案内部１６は、軸心Ｏの周方向の他方ＣＤ２への回動部材６の回転に伴って可動部５ｂを押圧して軸心Ｏの径方向（本実施形態では径方向外側）に移動させ、内容器２を非ロック状態にするとともに、軸心Ｏの周方向の一方ＣＤ１への回動部材６の回転に伴って可動部５ｂへの押圧を解除する第２案内面１６ｂを有している。
【００２３】
図１及び図３に示すように、第１案内面１６ａは、可動部５ｂに対して軸心Ｏの径方向外側に位置している。また、第１案内面１６ａは、軸心Ｏの周方向の他方ＣＤ２に向かって軸心Ｏの径方向内側へ傾斜している。第２案内面１６ｂは、可動部５ｂに対して軸心Ｏの径方向内側に位置している。第２案内面１６ｂは、軸心Ｏの周方向の他方ＣＤ２に向かって軸心Ｏの径方向内側へ傾斜している。本実施形態では、回動部材６は、図３に示すように、第１案内面１６ａと、第１案内面１６ａにおける軸心Ｏの周方向の他方ＣＤ２側の端縁から軸心Ｏの径方向外側に向けて延在する当接面１７とからなる内向き段部１８を有している。
【００２４】
図３に示すように、本実施形態では、回動部材６は、軸心Ｏの周方向に等間隔を空けて配置された３つの案内部１６を有している。また、回動部材６は、軸心Ｏの周方向に等間隔を空けて配置された３つの内向き段部１８を有している。本体部材５は、軸心Ｏの周方向に等間隔を空けて配置された３つの可動部５ｂを有している。したがって、外容器３には、軸心Ｏの周方向に等間隔を空けて配置された３組の可動部５ｂ及び第１案内面１６ａが設けられている。案内部１６、内向き段部１８及び可動部５ｂの数は、増減が可能であり、単数であってもよい。また、複数の案内部１６、内向き段部１８及び可動部５ｂにおける軸心Ｏの周方向の間隔は、等間隔に限られない。各第１案内面１６ａは、当該第１案内面１６ａにおける軸心Ｏの周方向の他方ＣＤ２側の端縁から軸心Ｏの径方向外側に向けて延在する当接面１７とともに内向き段部１８を構成している。
【００２５】
図１及び図３に示すように、本実施形態では、回動部材６は、外筒１３の下端から下方に延在するとともに内径が外筒１３より縮径された下筒１９を有している。下筒１９の内周面は、軸心Ｏの周方向に等間隔を空けて配置された３つの内向き段部１８を含む略円環状をなしている。下筒１９の下端は、円板状の底面壁２０で閉塞されている。底面壁２０の上面には、軸心Ｏの周方向に等間隔を空けて配置された３つの上面視略円弧状をなす案内凸部２１が設けられている。案内凸部２１の数は、増減が可能であり、単数であってもよい。また、複数の案内凸部２１における軸心Ｏの周方向の間隔は、等間隔に限られない。各案内凸部２１は、第２案内面１６ｂを含む外周面を有している。
【００２６】
図３に示すように、本実施形態では、各可動部５ｂは、基端部から先端部まで軸心Ｏの周方向の他方ＣＤ２に延在する片持ち弾性片を有している。各可動部５ｂの基端部には、本体部材５の本体部５ａに凸状をなすように設けられた支持凸部２２が一体に連結している。各支持凸部２２は、隣接する当接面１７に当接することによって軸心Ｏの周方向の他方ＣＤ２への回動部材６の回転を停止させる被当接面２３を有している。
【００２７】
図２及び図４に示すように、各可動部５ｂは、基端部から先端部まで延在する上面視円弧形状をなすように湾曲した長尺板状の弾性アーム２４を有している。弾性アーム２４には、その弾性を調整するため等の目的で、適宜、切欠き及び／又は開口を設けることができる。弾性アーム２４の先端部における内周面の上部には、係止部４が設けられている。係止部４は、上面視円弧状の凸部によって構成されている。各可動部５ｂは、弾性アーム２４の先端部に一体に連結する上面視Ｌ字状の係合片２５を有している。係合片２５は、軸心Ｏの径方向内側に向けて上方へ傾斜した押出し面２６を有している。このように、可動部５ｂは、可動部５ｂが図６に示す位置から図２に示す位置まで軸心Ｏの径方向外側へ移動することによって内容器２を上方に押出すように傾斜した押出し面２６を有している。押出し面２６は、軸心Ｏの周方向の他方ＣＤ２への回動部材６の回転に伴って内容器２を外容器３から離脱する方向（つまり上方）に押出す押出し部を構成している。本実施形態では、内容器２は、押出し面２６に押出されることが可能であるとともに軸心Ｏの周方向に全周に亘って設けられた環状の被押出し部２７を有している。被押出し部２７は、環状凸部１１の下端面によって構成されている。
【００２８】
本実施形態では、各案内凸部２１の第２案内面１６ｂにおける軸心Ｏの周方向の他方ＣＤ２側部分には、図６及び図８に示すように係止部４が内容器２に係合したときに、可動部５ｂの係合片２５に上方への抜け出しを阻止可能に係合する第１係合凸部２８ａが設けられている。また、各案内凸部２１の第２案内面１６ｂにおける周方向の一方ＣＤ１側部分には、図２及び図４に示すように内容器２への係止部４の係合が解除されたときに、可動部５ｂの係合片２５に上方への抜け出しを阻止可能に係合する第２係合凸部２８ｂが設けられている。第１係合凸部２８ａと第２係合凸部２８ｂとの間には、本体部材５と回動部材６との組付け時に可動部５ｂを下方に通過させる軸心Ｏの周方向の隙間が設けられている。
【００２９】
本実施形態では、回動部材６の外筒１３の内周面には、図８に示すように係止部４が内容器２に係合したときにクリック感を生じさせる乗越え凸部２９が設けられている。乗越え凸部２９は、係止部４が内容器２に係合したときに、本体部材５の内筒１４の外周面に設けられた第１被乗越え凸部３０ａを乗り越えることでクリック感を生じさせる。また、乗越え凸部２９は、図４に示すように係止部４の内容器２への係合が解除されたときにもクリック感を生じさせる。乗越え凸部２９は、係止部４の内容器２への係合が解除されたときに、本体部材５の内筒１４の外周面に設けられた第２被乗越え凸部３０ｂを乗り越えることでクリック感を生じさせる。このようなクリック感を生じさせるための構成は適宜変更が可能である。また、このようなクリック感を生じさせるための構成を設けなくても構わない。
【００３０】
本実施形態では、内容器２の胴部２ｂの外周面における上端部付近には、本体部材５に対する内容器２の回転を阻止する回り止めリブ３１が設けられている。より具体的には、回り止めリブ３１は、本体部材５の上筒１５の上側部分の内周面における上端部に設けられた係合凹部３２と係合することで、内容器２が軸心Ｏの周方向に回転することを阻止するように構成されている。本体部材５は、軸心Ｏの周方向に全周に亘って断続的に配置された多数の係合凹部３２を有している。したがって、ユーザーは、内容器２を外容器３の内部に落とし込む際に、内容器２の周方向の位置合わせを特段必要としない。本実施形態では、内容器２は、軸心Ｏの周方向に等間隔を空けて配置された複数の回り止めリブ３１を有している。しかし、複数の回り止めリブ３１における軸心Ｏの周方向の間隔は、等間隔に限られない。また、回り止めリブ３１の数は、単数であってもよい。また、回り止めリブ３１を設けない構成としてもよい。
【００３１】
本実施形態に係るレフィル容器１においては、次の要領で、内容器２を外容器３に取付けることができる。まず、図１に示すように、蓋７を取外した状態で、内容器２を外容器３の内部に落とし込むと、図２に示すように、内容器２の環状凸部１１の下端面で構成される被押出し部２７が、可動部５ｂの押出し面２６に載置される。この状態で、ユーザーは、一方の手で本体部材５を掴み、もう一方の手で回動部材６の外筒１３を掴んで回動部材６を、図８に白抜き矢印で示すように、軸心Ｏの周方向の一方ＣＤ１に回転させることができる。この回転に伴い、案内部１６の第１案内面１６ａは、図６及び図８に示すように、可動部５ｂを押圧して軸心Ｏの径方向内側に移動させることにより、可動部５ｂの係止部４を内容器２の被係止部１２に係止可能に係合させ、内容器２をロック状態にする。また、このとき、案内部１６の第２案内面１６ｂは、可動部５ｂへの押圧を解除する。この状態では、内容器２に上方への外力が作用した場合でも、係止部４が内容器２の被係止部１２に係止するため、内容器２を外容器３に保持することができる。また、このとき、可動部５ｂは、案内凸部２１の第１係合凸部２８ａとの係合によって、上方への移動が阻止されるため、内容器２を外容器３に強固に保持することができる。また、内容器２は、軸心Ｏの周方向に全周に亘って設けられた環状の被係止部１２を有しているので、内容器２を外容器３の内部に落とし込む際には内容器２の周方向の位置合わせが不要である。したがって、内容器２の取付け操作を簡単化できる。
【００３２】
また、本実施形態に係るレフィル容器１においては、次の要領で、内容器２を外容器３から取出すことができる。まず、蓋７を取外した状態で、ユーザーが回動部材６を軸心Ｏの周方向の他方ＣＤ２に回転させると、案内部１６の第２案内面１６ｂは、可動部５ｂを押圧して、図２及び図４に示すように軸心Ｏの径方向外側に移動させることにより、内容器２の被係止部１２への係止部４の係合を解除し、内容器２を非ロック状態にする。また、このとき、案内部１６の第１案内面１６ａは、可動部５ｂへの押圧を解除する。このように、本実施形態では、案内部１６の第２案内面１６ｂによって可動部５ｂを軸心Ｏの径方向外側に押圧することにより、内容器２への係止部４の係合を解除するようにレフィル容器１を構成しているので、内容器２への係止部４の係合を確実に解除することができる。
【００３３】
また、本実施形態では、ユーザーが回動部材６を軸心Ｏの周方向の他方ＣＤ２に回転させるときに、可動部５ｂがその変形を復元させる弾性力によっても軸心Ｏの径方向外側に移動するので、回動部材６を小さな操作力で回転させることができる。また、可動部５ｂが軸心Ｏの径方向外側に移動する際には、可動部５ｂの押出し面２６によって内容器２が上方に押出される。したがって、内容器２への係止部４の係合の解除後に、内容器２を外容器３から容易に取出すことができる。また、内容器２への係止部４の係合の解除後には、各内向き段部１８の当接面１７を、隣接する支持凸部２２の被当接面２３に当接させることによって、軸心Ｏの周方向の他方ＣＤ２への回動部材６の回転を確実に停止させることができる。
【００３４】
このように、本実施形態では、案内部１６が回動部材８の回転に伴って軸心Ｏの径方向への可動部５ｂの移動を案内することにより、内容器２の状態をロック状態と非ロック状態との間で切替えるようにレフィル容器１を構成しているので、少ない角度の回転操作で内容器２を外容器３に着脱することができ、しかも、レフィル容器１の全高寸法の増加を抑制することができる。また、本実施形態では、案内部１６による可動部５ｂの押圧によって内容器２への係止部４の係合状態を維持するようにレフィル容器１を構成しているので、内容器２を外容器３に強固に保持することができる。
【００３５】
次に、図９を参照して、本発明の第２実施形態に係るレフィル容器１’について詳細に例示説明する。図９に示すように、本実施形態に係るレフィル容器１’では、回動部材６’は、軸心Ｏの周方向に回転可能に軸心Ｏの径方向内側から本体部材５’に嵌合する周壁３３を有している。周壁３３は円環状をなしている。本実施形態では、周壁３３の外周面には、本体部材５’の円環状の外壁３４の内周面に設けられた円環状の凸部に嵌合する円環状の凹部が設けられている。しかし、周壁３３と外壁３４との嵌合部の構成は適宜変更が可能である。
【００３６】
また、回動部材６’は、周壁３３の内周面に一体に連結する底壁３５を有している。底壁３５は、周壁３３の上下方向中間部に一体に連結しており、周壁３３の上側部分は底壁３５より上方に突出し、周壁３３の下側部分は底壁３５より下方に突出している。また、回動部材６’は、底壁３５から垂下する摘み部３６を有している。摘み部３６は、底面視一文字状をなすリブによって構成されている。当該リブの両端部は、周壁３３の内周面に一体に連結している。しかし、摘み部３６の形状は変更が可能である。
【００３７】
周壁３３の上側部分の内周面は、軸心Ｏの周方向に等間隔を空けて配置された３つの内向き段部１８を含む略円環状をなしている。底壁３５の上面には、３つの案内凸部２１が設けられている。本体部材５’の外壁３４の上端からは、内径が外壁３４より縮径した上筒１５’が上方に延在している。上筒１５’の内周面には、３つの可動部５ｂが設けられている。なお、内向き段部１８、案内凸部２１及び可動部５ｂの数は３つに限られない。その他の構成は、第１実施形態の場合と同様となっている。
【００３８】
本実施形態に係るレフィル容器１’によれば、第１実施形態の場合の効果に加えて、摘み部３６による回動部材６’の容易な回転操作を可能にすると同時に、回動部材６’の露出を抑えることで外観デザインを向上できるという効果を得ることができる。
【００３９】
前記の説明は、本発明の一実施形態を示したものにすぎず、特許請求の範囲を限定するものではない。前記の実施形態は、本開示の基礎的事項に基づいて、例えば以下に述べるような、種々の変更が可能である。
【００４０】
前述した実施形態では、案内部１６は、軸心Ｏの周方向の一方ＣＤ１及び他方ＣＤ２への回動部材６の回転に伴って軸心Ｏの径方向への可動部５ｂの移動を案内することにより、内容器２の状態をロック状態と非ロック状態との間で切替えるように構成されていた。しかし、案内部１６は、軸心Ｏの周方向の一方ＣＤ１のみ（又は他方ＣＤ２のみ）への回動部材６の回転に伴って軸心Ｏの径方向への可動部５ｂの移動を案内することにより、内容器２の状態をロック状態と非ロック状態との間で切替えるように構成されてもよい。この場合、例えば、案内部１６は、軸心Ｏの周方向の一方ＣＤ１への回動部材６の回転により、可動部５ｂを軸心Ｏの径方向内側へ案内して内容器２をロック状態にするとともに、軸心Ｏの周方向の一方ＣＤ１への回動部材６のさらなる回転により、可動部５ｂを軸心Ｏの径方向外側へ案内して内容器２を非ロック状態にするように構成されてもよい。また、前記の実施形態では、案内部１６は、第１案内面１６ａを有していた。しかし、案内部１６は、第１案内面１６ａを有するものに限られない。また、前述した実施形態では、案内部１６は第２案内面１６ｂを有していた。しかし、第２案内面１６ｂを設けない構成としてもよい。
【００４１】
前述した実施形態では、レフィル容器１は、案内部１６が、軸心Ｏの周方向の一方ＣＤ１への回動部材６の回転に伴って可動部５ｂを押圧して軸心Ｏの「径方向内側」に移動させることにより、内容器２をロック状態にするように構成されていた。しかし、レフィル容器１は、案内部が、軸心の周方向の一方への回動部材の回転に伴って可動部を押圧して軸心の「径方向外側」に移動させることにより、内容器２をロック状態にするように構成されてもよい。この場合、第１案内面１６ａは、軸心の周方向の一方への回動部材の回転に伴って可動部を押圧して軸心の「径方向外側」に移動させることにより、内容器２をロック状態にするように構成されてもよい。また、この場合、第２案内面１６ｂは、軸心の周方向の他方への回動部材の回転に伴って可動部を押圧して軸心の「径方向内側」に移動させることにより、内容器２を非ロック状態にするように構成されてもよい。
【００４２】
前述した実施形態では、可動部５ｂは押出し面２６を有していた。しかし、押出し面２６を設けない構成としてもよい。
【００４３】
前述した実施形態では、可動部５ｂは、基端部から先端部まで軸心Ｏの周方向に延在する片持ち弾性片で構成されていた。しかし、可動部５ｂは、例えば、基端部から先端部まで上下方向に延在する片持ち弾性片で構成されてもよい。また、可動部５ｂは、両持ちの（すなわち、両端が支持された）弾性片で構成されてもよい。また、可動部５ｂは、弾性片で構成されたものに限られない。
【００４４】
前述した実施形態では、内容器２の被係止部１２は、軸心Ｏの周方向に全周に亘って設けられていた。しかし、被係止部１２を全周の一部のみに設けてもよい。
【００４５】
前述した実施形態では、外容器３の底部３ａを構成する部材に案内部１６を設け、もう一方の部材に可動部５ｂを設けていた。しかし、外容器３の底部３ａを構成する部材に可動部を設け、もう一方の部材に案内部を設けてもよい。
【符号の説明】
【００４６】
１、１’  レフィル容器
２  内容器
２ａ  底部
２ｂ  胴部
３  外容器
３ａ  底部
３ｂ  胴部
４  係止部
５、５’  本体部材
５ａ  本体部
５ｂ  可動部
６、６’  回動部材
７  蓋
８  蓋本体
８ａ  装着筒
８ｂ  天壁
９  パッキン
１０  傾斜部
１１  環状凸部
１２  被係止部
１３  外筒
１４  内筒
１５、１５’  上筒
１６  案内部
１６ａ  第１案内面
１６ｂ  第２案内面
１７  当接面
１８  内向き段部
１９  下筒
２０  底面壁
２１  案内凸部
２２  支持凸部
２３  被当接面
２４  弾性アーム
２５  係合片
２６  押出し面（押出し部）
２７  被押出し部
２８ａ  第１係合凸部
２８ｂ  第２係合凸部
２９  乗越え凸部
３０ａ  第１被乗越え凸部
３０ｂ  第２被乗越え凸部
３１  回り止めリブ
３２  係合凹部
３３  周壁
３４  外壁
３５  底壁
３６  摘み部
Ｏ  軸心
ＣＤ１  周方向の一方
ＣＤ２  周方向の他方
【図１】
2019081595.tif 000003
【図２】
2019081595.tif 000004
【図３】
2019081595.tif 000005
【図４】
2019081595.tif 000006
【図５】
2019081595.tif 000007
【図６】
2019081595.tif 000008
【図７】
2019081595.tif 000009
【図８】
2019081595.tif 000010
【図９】
2019081595.tif 000011